(57)【要約】  複数のサブシステムのそれぞれに付帯するデバイダーの間の関係を測定するステップ、及び１つまたはそれより多くのデバイダーの位相を、デバイダーの内の１つとの既知の関係に調節するステップを含む、複数のサブシステムを同期化するための方法。複数のサブシステムの内の１つに付帯するデバイダーに同期して、コマンドが発せられる。コマンドは、サブシステムの内の１つで受信され、サブシステムの内のコマンドを受信する１つに付帯するデバイダーに同期して実行される。
2005512446.tif 000002
【特許請求の範囲】
【請求項１】
同期して動作することが望まれる複数のサブシステムを備えるシステムにおいて、前記サブシステムのそれぞれが、
受信したクロック信号を分割し、複数のクロック信号エッジを含む信号を発生するためのデバイダーであって、前記デバイダーから発せられる前記信号の位相を前記複数のサブシステムの内の別のサブシステムのデバイダーから発せられる信号の位相との比較に基づいて調節することが可能であるデバイダー、
前記サブシステムにより実施されるべきコマンドを受信するための受信器、及び
前記受信されたコマンドを、前記複数のクロック信号エッジの内のあらかじめ定められた１つにおいて実施するための制御機構
を備えることを特徴とするシステム。
【請求項２】
前記デバイダーから発せられた前記信号の位相（またはタイミング）の直接測定値を用いて、前記デバイダー間の位相差を決定することを特徴とする請求項１に記載のシステム
【請求項３】
前記サブシステムのそれぞれのデバイダーに対する既知のアナログ入力の位相測定値を用いて、前記デバイダー間の位相差を決定することを特徴とする請求項１に記載のシステム。
【請求項４】
遅延較正ルーチンの変更形態を用いて前記デバイダーのそれぞれの相対位相を決定することを特徴とする請求項３に記載のシステム。
【請求項５】
ゲーテッドクロックに基づく調節技法を用いて前記デバイダーの前記位相を調節することを特徴とする請求項１に記載のシステム。
【請求項６】
一連のデジタイザ及びアナログトリガーが同期化されていることを特徴とする請求項１に記載のシステム。
【請求項７】
前記トリガーの送出イベントに特に関係付けられた時点が決定されることを特徴とする請求項６に記載のシステム。
【請求項８】
一連のデジタイザチャネル上でデシメータが位相を合せて起動されることを特徴とする請求項６に記載のシステム。
【請求項９】
前記システムがデジタルオシロスコープであることを特徴とする請求項７に記載のシステム。
【請求項１０】
複数のサブシステムを備えるシステムを同期して動作させるための方法において、
受信したクロック信号を分割し、複数のクロック信号エッジを含む信号を前記サブシステムのそれぞれにおいて生成するステップであって、前記複数のサブシステムの内の第１のサブシステムのデバイダーから発せられた前記信号の位相を前記複数のサブシステムの内の別のサブシステムのデバイダーから発せられた信号の位相との比較に基づいて調節することが可能であるステップ、
前記サブシステムにより実施されるべきコマンドを受信するステップ、及び
前記受信されたコマンドを、前記複数のクロック信号エッジの内のあらかじめ定められた１つにおいて実施するステップ
を含むことを特徴とする方法。
【請求項１１】
前記デバイダーから発せられた前記信号の位相（またはタイミング）の直接測定値を用いて前記デバイダー間の位相差を決定することを特徴とする請求項１０に記載の方法。
【請求項１２】
前記サブシステムのそれぞれのデバイダーに対する既知のアナログ入力の位相測定値を用いて前記デバイダー間の位相差を決定することを特徴とする請求項１０に記載の方法。
【請求項１３】
遅延較正ルーチンの変更形態を用いて前記デバイダーのそれぞれの相対位相を決定することを特徴とする請求項１２に記載の方法。
【請求項１４】
ゲーテッドクロックに基づく調節技法を用いて前記デバイダーの前記位相を調節することを特徴とする請求項１０に記載の方法。
【請求項１５】
精細遅延素子による追加の調節を用いて、前記クロックの周期の分数分まで前記デバイダーの前記位相を調節することを特徴とする請求項１４に記載の方法。
【請求項１６】
一連のデジタイザ及びアナログトリガーが同期化されていることを特徴とする請求項１０に記載の方法。
【請求項１７】
前記トリガーの送出イベントに特に関係付けられた時点が決定されることを特徴とする請求項１６に記載の方法。
【請求項１８】
一連のデジタイザチャネル上でデシメータが位相を合せて起動されることを特徴とする請求項１６に記載の方法。
【請求項１９】
前記システムがデジタルオシロスコープであることを特徴とする請求項１０に記載の方法。
【請求項２０】
複数のサブシステムを同期化するための方法において、
前記複数のサブシステムのそれぞれに付帯するデバイダーの間の関係を測定するステップ、
１つまたはそれより多くの前記デバイダーの位相を前記デバイダーの内の１つとの既知の関係に調節するステップ、
前記複数のサブシステムの内の１つに付帯するデバイダーに同期してコマンドを発するステップ、
前記サブシステムの内の１つで前記コマンドを受信するステップ、及び
前記コマンドを受信する前記サブシステムの内の前記１つに付帯するデバイダーに同期して前記コマンドを実行するステップ
を含むことを特徴とする方法。
【請求項２１】
前記サブシステムにおける前記コマンドの実施を遅延させるために、前記１つまたはそれより多くのデバイダーの前記位相が、前記コマンドを受信するために前記サブシステムに転送されるべきクロック信号から１つまたはそれより多くのパルスを取り除くことにより調節されることを特徴とする請求項２０に記載の方法。
【請求項２２】
前記デバイダーの前記位相を前記クロックの周期の分数分まで調節するために、前記位相が精細遅延によりさらに調節されることを特徴とする請求項２１に記載の方法。
【請求項２３】
前記システムがデジタルオシロスコープであることを特徴とする請求項２０に記載の方法。
【発明の詳細な説明】
【技術分野】
【０００１】
本発明は分散型システムの高精度同期化に関する。
【背景技術】
【０００２】
多くのシステムにおいては、極めて正確な時間に、システムを起動または停止させるか、さもなければ特定のコマンドまたは信号を実行する必要がある。しかし、複雑なシステムの様々なコンポーネントの全てをそのように高精度に同期化するには極めて困難なことが多い。
【発明の開示】
【発明が解決しようとする課題】
【０００３】
そのような同期化を達成するための改善された方法及び装置を提供することは有益であろう。
【課題を解決するための手段】
【０００４】
したがって、本発明によれば、コマンドを時間通りに実行するのではなく、コマンドが確実に発せられ得ることを保証するに十分な時間間隔をあけた、ある特定の時刻においてのみ実行がなされることを保証するために、較正プロセスが用いられる。
【０００５】
本発明の方法及び装置を適用できる特定の用途は、多数の変換器全体にわたるデジタルオシロスコープの起動と停止である。そのような用途によれば、一連のサブシステムのそれぞれは、高速クロックと記述されるクロックを分割して適切なクロック速度まで落とすデバイダーをもつ。それぞれのサブシステムは適切な信号またはコード化されたコマンドにしたがって、起動または停止することができ、さもなければ信号またはコード化されたコマンドを実行することができる。サブシステムは、デバイダーの特定の位相に対応する高速クロックのパルスエッジにおいてのみ実行を開始するであろう。この特定の位相においては低忠実度論理入力がサンプリングされるか、または先に待ち行列に入れられたコマンドが実行される。これにより、論理入力のタイミングまたはコード化されたコマンドのタイミングの厳密性を元のクロックのタイミングの厳密性よりかなり緩くすることが可能になる。
【０００６】
本発明が作用するためには、デバイダーが同位相で作動していることを知るかまたは少なくともデバイダーの相対位相の知識を有することが必要である。本発明では、２つの段階を組み合わせる。初めに、デバイダーの（初期には任意の）関係が決定される。第２段階において同期化するように位相の調節がなされる。位相が調節されると、それぞれのサブシステムのデバイダーの特定のエッジが同期化されて初めて実行される精度の低い信号（論理信号またはコード化されたメッセージ）によるコマンドの通信が可能となる。それぞれのサブシステムの調節されたデバイダー位相に対応する高速クロックの特定のエッジにおいて動作が開始されるであろう。
【０００７】
デバイダーの相対位相を測定するために代替可能な２種類の技法を用いることができる。第１の技法は直接測定に基づくものである。第２の技法は、サブシステムのデバイダーの入力信号に対する位相を測定するために、デジタイザサブシステムまたはアナログトリガサブシステムのアナログ入力を用いる。デジタイザの場合、これは、デジタイズされた信号とともにデバイダーの位相を記録することにより達成される。例として、これは、デバイダーを用いて２進数で表されたサンプル番号の最小桁のビットを与えることにより達成することができる。アナログトリガの場合、入力信号と特定のデバイダー位相の間の時間が決定される。デジタイズされたサンプルまたはトリガ時間を処理することにより、それぞれのデバイダーの位相とそのアナログ入力の間の関係を事後に決定することができる。
【０００８】
位相の調節について、用いられ得る技法の１つはデバイダーの位相を既知の量だけ遅延させるために、あらかじめ定められた数のクロックパルスだけデバイダーへのゲートを閉じることである。当業者であれば、数多くの別の方式を用いることもできる。
【０００９】
他のシステムでは、様々なコンポーネントを同期化するために数多くの技法が用いられてきた。いくつかのシステムでは、それぞれのコンポーネントシステムのためのクロックが、共通のクロック源から停止され、次いで開始される。この断続クロックストリームの最初のエッジは、以降の時刻の全てを関係付けることができる共通時刻マーカーとして、様々な受取側システムで用いられる。このシステムの利点は、ただ１つの高品質信号（クロック）を分配すれば済むことである。欠点は、連続クロックに比較して、クロックを開始及び停止しなければならないときの信号忠実度の維持がより困難なことである。この方式の変更形態はマーカーとして最終クロックエッジを用いることである。
【００１０】
用いられてきた別の技法によれば、共通のクロック源から供給されたクロックから動作する受取側サブシステムのそれぞれにイネーブル信号が送信される。この信号はいずれの受取側システムにおいてもそれぞれの特定の設定及び要件を満たさなければならない。このシステムの欠点は、クロックとこの信号の間で正確な設定及びホールド関係が維持されなければならず、したがって２つの信号が極めて高い忠実度で送信されなければならないことである。非常に高速なシステムの場合、イネーブル信号と較正が困難なクロックの間の関係のプログラム可能なタイミング調節を与えることが必要であることも多い。クロック周波数が一定でない場合には、全てのクロック周波数に対して設定及びホールド時間を一致させ得るように、イネーブル信号及びクロックの伝搬遅延を確実に一致させることが必要になる。
【００１１】
以前から用いられてきたまた別の技法によれば、比較的低い周波数のクロックが様々なサブシステムに分配される。このクロックに同期してイネーブル信号が分配される。さらに、ＰＬＬまたは周波数逓倍器を含む様々な標準的技法によりそれぞれのシステムにおいて高周波クロックを局所的に発生させる。欠点は、周波数逓倍では、本用途に十分な性能を達成するには大きな費用がかかり得ることである。したがって、本発明の目的は、クロックを中断する必要なしに、また、コマンドを送信するための精確にタイミングがとられたコマンドチャネルの必要もなしに、適切な同期化能力を提供することである。本発明のまた別の目的及び利点は、ある程度はいうまでもないであろうし、ある程度は本明細書及び図面から明らかであろう。本発明は、したがって、いくつかのステップ及び１つまたはそれより多くのそのようなステップの別のステップのそれぞれに対する関係、並びに、そのようなステップを実施するために適合された、構成の特徴、要素の組合せ及びパーツの配置を具現化している装置を含み、これらの全てが以下の詳細な開示に例示され、特許請求の範囲に示されるであろう本発明の範囲に含まれる。
【発明を実施するための最良の形態】
【００１２】
本発明のさらに完全な理解のため、以下の説明及び添付図面が参照される。
【００１３】
本発明の機能の仕方を説明するため、初めに類例を用いることにする。この類例は、それぞれが大砲をもち、それぞれが信頼できる（すなわち、動き始めると正確な時間を維持する）がいずれも正しい時刻には合わされていない時計を有する、個人のグループから出発する。それぞれの個人は互いにかなりの離れた場所におり、したがって個人と個人の間を音声が伝わるにはある程度の時間がかかる。個人は皆それぞれの大砲を正時、但しあらかじめ定めることができない（指令される）ある正時にだけ、精確に（１秒が経過するまでに）発砲したい。
【００１４】
情報を送りたい個人のいずれかが情報を受け取りたい個人とともに一連の実験を行う。例えば、任意の場所から連続して一秒毎に１つのクリック音が送られる。これらのクリック音は、全ての時計のそれぞれの秒針を、一度に１秒進めるために全ての時計で用いられる。これにより、個人の時計が実験中に互いに対して偏差をもたないことが保証される。しかし、この情報だけでは実際の時刻を知るには十分ではない。この同期化を達成するためにさらに実験が行われる。同期化のための実験には２つの可能なタイプがあり得る。
【００１５】
第１に、個人が集まり、それぞれの時計が正しい時刻を示していることをチェックすることができる。正しい時刻を示していなければ、時計が調節される。それぞれの時計を同期させた後、個人はそれぞれの大砲に戻る。別の手法は、一人の個人が、連続して毎日（彼の時計にしたがって）正確に１２：００に発火するように設定された火炎信号を打ち上げ、受け手が、受け手の測定誤差を平均して、受け手の時計を送り手の時計に合わせるために極めて精確に設定できるようにすることである。この類例のために、光の通過時間を無視することができる。個人の時計を調節するために用いられる技法は、時計がそれまではわずかな時間だけ進んでいたならば時間を遅らせるために数秒間時計を止めるか、またはより大きな調節を行うことである。
【００１６】
較正及び同期化後の、作戦中に、正時後約３０分（または正時標識から十分に隔たった他の任意の時刻）に、送り手（個人の内の一人）が次の正時に大砲の全てを発砲するか否かの指令を叫ぶ。それぞれの受け手（他の個人）はこの指令を聞き、それぞれの個人の大砲を精確に次の正時に発砲するための準備を行う。大きな利点の１つは、口頭発砲指令の連絡のタイミングが大砲の精確な発砲に対して決定的なものではないことである。限界は、大砲を正時にしか発砲できないことである。
【００１７】
以下の本発明の説明では、上記類例の時計がデバイダーに対応し、上記類例で時計に示される時刻がデバイダーの位相に対応する。
【００１８】
初めに図１を参照すれば、２つのサブシステム１１０及び１２０が示されている。サブシステム１１０は、デバイダー１１２，遅延素子１１４及び信号発生器１１６を備える。サブシステム１２０は、デバイダー１２２及び信号発生器１２６を備える。クロック信号１０２がデバイダー１１２及び１２２へ入力され、イネーブル信号１０４が、デバイダー１１２に同期して（ただしデバイダー１１２から遅延されて）信号発生器１１６で発生され、デバイダー１２２に同期して実行されるべく、信号発生器１２６に転送される。遅延素子１１４は、以下で論じられるように、デバイダー１１２及び１２２の位相が正しく合されたときに安全な通信を可能にするように選ばれる。
【００１９】
本発明にしたがえば、連続クロック１０２が同期化されるべき受け側システムのそれぞれに印加される。クロックは同じ周波数及び任意の一定の位相関係を有していなければならない。このクロックは、別の同期化周波数クロック信号を発生させるために、それぞれの受け側システムにおいて逓倍されることができるであろう。しかし本発明は、そのような逓倍係数が以下で論じられる分割比の整数倍ではない場合にのみ有用である。
【００２０】
上述したように、それぞれのサブシステムには、連続クロック１０２に基づいて、より低周波のクロックをつくるデバイダー（１１２，１２２）が組み込まれている。それぞれのサブシステムにおける上記分割比の選択は、２つの要件の間の折衷である。分割比が大きくなるほど、単位時間当りのデバイダー位相の反復が少なくなるであろうから、マーカーがおそらく実行され得るであろう瞬間の時間的間隔が大きくなる。分割比が小さくなるほど、デバイダー位相の反復間隔で定められる時点が時間的に一層狭まるから、実行されるべきコマンドを送信するためにより高い時間精度が用いられなければならない。初期には、これらのデバイダーの位相は任意である（起動中に決定される）。デバイダーにはその位相の調節を可能にする機構が組み込まれる。そのような機構の例として、クロックサイクルを抑圧し、よって元のクロックサイクルのあらかじめ定められた数だけデバイダーの位相を遅延する、ゲート回路がある。当業者であれば、この機能を実施するための様々なその他の方式を思い浮かべることができる。
【００２１】
図２は、図１に示されるサブシステムが発生する複数の信号を示す。図示されるように、デバイダー１１２はクロック信号１０２のエッジに同期している信号２０１を発生する。実行が開始され得るのは、信号２０１のこのエッジ（信号点１または４）においてである。デバイダー１２２は同じくクロック信号１０２のエッジに同期している信号２０２を発生する。実行が開始され得るのは、信号２０２のこのエッジ（信号点２または５）においてである。しかし、デバイダー１１２及び１２２の位相が合っていないため、デバイダー１２２からの信号２０２は信号点２及び５において、信号２０１の信号点１及び４から離れた位置にある、クロック信号１０２の立下がりエッジにおいて発生されている。イネーブル信号１０４が信号点３において信号２０１にしたがって発生されると期待実行時点４が決定される。第１のサブシステム１１０はこの意図された信号点ではたらくことができるが、デバイダー１１２と１２２の間の位相が正しくないため、サブシステム１２０は、クロック信号１０２のトラッキングエッジにおいて、しかも意図された実行時点４の後の、信号点５においてしかはたらくことができない。すなわち、デバイダー１１２，１２２の同期化が必要であり、サブシステム１２０におけるコマンドの適切な実施をもたらすであろう。
【００２２】
本発明にしたがえば、様々なサブシステムのデバイダー間の位相誤差が、それぞれのデバイダーが同期化される前に、いくつかの方法の内の１つにより決定されなければならない。用いることができる技法の２つの例をここで説明する。
【００２３】
第１の技法においては、個々のデバイダーに同期している出力が相対位相測定を行う１つまたはそれより多くの回路に送られる。測定確度は、非分割クロックの１サイクル未満まで正確である必要がある。これは、単一高忠実度測定または一連の低忠実度測定により達成できる。位相計を実装するための多くの技法が当業者によく知られており、あるいは時間−デジタル変換器（ＴＤＣ）を上記の測定を達成するために用いることもできる。
【００２４】
第２の技法においては、送信器及び受信器が他の適する入力を有していれば、これらも位相測定を行うために用いることができる。例えば、デジタイザまたはアナログトリガシステムによりアナログ入力を利用できる。既知の位相関係をもつ信号がそれぞれの入力に印加される。デジタイザの場合には、デジタイズされた波形の検査及びデバイダー情報により、波形タイミングとデバイダー位相の間の関係をそれぞれのデジタイザについて決定することが可能になる。アナログトリガについては、ＴＤＣを用いてデバイダー位相に対する入力信号の直接測定を行うことができる。これは、やはり、単一高忠実度信号波形エッジまたは一連の低忠実度信号波形エッジに関して実施することができる。
【００２５】
いずれの場合にも、様々なデバイダー間の位相差が分かれば、それぞれのデバイダーは既知の位相関係に調節される。この較正プロセスには、回路が（例えば温度の変化等により）ドリフトしたかも知れないと考えられる場合に限って反復される必要がある。
【００２６】
当業者には、調節を実施するための数多くの方法がよく知られている。そのような技法の１つが図３に示される。
【００２７】
高速クロック３１０が適切なゲート３１２へ入力される。デバイダー３１８の他のサブシステムのデバイダーとの同期化を可能にするためにデバイダー３１８の位相を遅延させるためのゲート３１２への信号３１５を、位相制御素子３１４が供給する。したがって、位相制御素子３１４が信号３１５をゲート３１２に送信すると、高速クロック信号３１０から完全なクロックサイクルが取り除かれる。すなわち、高速クロック信号３１０の完全な波形ではなく、改変された波形３１７がデバイダー３１８に転送される。クロックサイクルが１つ失われているから、デバイダー３１８のタイミングは１クロックサイクルだけ遅延されるであろう。デバイダー（１１２，１２２）の位相を同期化するために、任意の数のクロックサイクルを取り除くことができる。
【００２８】
これでシステムは正規の動作の準備が整った。動作中、論理信号またはコード化されたメッセージにより、個々のサブシステムのそれぞれにコマンドが送信される。特定のサブシステムのデバイダーの位相が特定の位相に達するまでコマンドは実行されないであろうから、このコマンドの到着時点は、厳密ではない。実際上、イネーブル（またはマーカー）信号が、分割されたクロック上で共通ソースにより発生され、次いで、それぞれのシステムの分割されたクロックに同期している全ての仕向け先システム上でサンプリングされるだけでよい。デバイダーの正しい位相合せにより、イネーブル信号は、その信号の送信にかかわるいかなる精確なタイミングも必要とせずに、受け側システムの設定及びホールド時間に対する要件を容易に満たすことができる。
【００２９】
そこで、本発明にしたがうシステムの較正及び動作を図４に示す。ステップ４１０において、利用されるべき様々なサブシステムが起動される。この時、サブシステムは同期化されていない。次いで、ステップ４２０において、デバイダー位相関の関係が測定される。このプロセスに対する一技法が、図５に示されるグラフにしたがって実施される。初めに、同等のエッジをもつ同等の波形が２つのデジタイザチャネル（５１０，５２０）へ入力される。デジタイザチャネル（５１０，５２０）が比較されると、デジタイザチャネルは位相差５３０を示す。波形の間の関係を示すために用いられた技法が、デバイダーの位相が合わせられていると想定しているため、この位相差が発生する。デバイダー間の位相差は、２つの波形の間の見かけの遅延（５３０）として測定することができる。
【００３０】
図４に戻ると、デバイダー間の位相関係が決定されてしまうと、デバイダーの内の１つまたはそれより多くが、ステップ４３０において、上述した技法を用いて既知の関係に調節される。これで設定が完了する。
【００３１】
使用中、ステップ４４０において、送信側サブユニットのデバイダーに同期してコマンドが発せられる。ステップ４５０において、発せられたコマンドが受信側のデバイダーに受信され、受信側デバイダーに同期して実行される。先の同期化のため、このコマンドは、同期化された全てのサブシステム上で同期して実施されるであろう。
【００３２】
本発明の別の変更形態により、特定のデバイダー位相において実行されるためのリクエストをコマンドが含むことが可能になろう。しかし、コマンドの正確な到着時点が実行時点を決定するために用いられることは、やはり、ないであろう。そうではなく、実行時点はデバイダーが特定の位相に達するときに決定される。
【００３３】
したがって、本発明の重要な特徴の１つは、コマンドまたはコマンドにより連絡されるマーカーの実施のタイミングが、コマンドまたはマーカー信号自体の送信のタイミングの精度に依存しないことである。コマンドまたはマーカーは、特定のデバイダー位相においてのみ、サンプリングされ、実施されるであろう。デバイダー位相が既知であるとすれば、このマーカーまたはコマンドが実施されるであろう正確な時点は、デバイダーにより決定される特定のクロック信号エッジであり、コマンドの到着時点ではない。
【００３４】
本発明を用いることができる装置の例として、デジタルオシロスコープがある。そのようなデジタルオシロスコープにおいては、いくつかの様々な受信サブシステム（デジタイザチャネル＋トリガチャネル）が、上記のサブシステムへ入力されるサンプリングクロックにしたがって動作する。位相は独立に調節することができるから、サンプリングクロックは位相が合っている必要はない。デジタルオシロスコープにおいては、様々な受信信号のそれぞれに対してそれぞれのデジタイザ及びトリガ上で捕集記録を開始及び停止するために用いられるクロックサイクルにシステムが確実に一致できることを保証することが重要である。これは、適切に同期化されたデータが様々な計算に用いられることができ、表示されることができるように、（事後に）トリガに対して波形を正しく合わせ得ることを保証するために必要である。
【００３５】
上述した第２の技法がデジタルオシロスコープとともに使用するために選ばれる場合には、必要とされる実験をそのようなオシロスコープの普通の遅延較正を用いて実施することができる。すなわち、較正波形（例えば、方形波、正弦波またはその他のいずれかの適切な波形）が、全ての入力チャネル及びトリガチャネルのアナログ入力に印加される。トリガチャネルは分割されて落とされたクロックに同期してデジタイザに停止信号を発する。この時点においては（受信側システムの）様々なチャネルのデバイダーの位相が任意であるから、チャネルは全てランダムに停止する。トリガに対するそれぞれのデバイダーの時間オフセットは停止コマンドが実行された時点におけるデバイダーに対するデジタイズされた波形の位相に直接関係付けられるから、記録波形及びトリガの到着時点を調べることにより、トリガに対するそれぞれのデバイダーの時間オフセットを極めて精確に決定することが可能である。次いで、この情報を用いてデバイダーの位相を調節して、デバイダーを同期化する。この調節は整数個のクロックとすることができ、さらにいずれかの種類の遅延素子を用いて精細可変とすることができる。次のトリガが処理されるときには、全てのチャネルが波形に精確に同期して停止される。これは多くの用途の場合はそれぞれの波形上で同じ時点になるであろうが、インターリーブが行われる用途の場合は、変換器の相対タイミングを調節するためにデバイダーの正確な位相同期をサンプリング周期の分数または整数分だけ意図的にシフトすることができる。デジタルオシロスコープ用途では、２つの時間マーカーを発生させることが必要となり得る。第１の時間マーカーはそれぞれの変換器上で正しい位相関係をもってデシメータを起動させるために用いられる。このマーカーは捕集システムのいずれの起動準備時またはその前に発せられなければならない。第２の時間マーカーはトリガが発せられてからいくらか時間が経過した後に発生され、記録の終端にマークをつけさせるかまたは捕集システムを停止させる。この情報は単一の論理信号で、例えば論理信号の立上がりエッジ及び立下がりエッジで、コード化することは可能であるが、必要ではない。すなわち、上で述べた目的、とりわけ上記説明から明らかとなった目的が有効に達成されることがわかるであろうし、本発明の精神及び範囲を逸脱することなく上記方法の実施及び説明された構成にある種の変更がなされ得るから、上記説明に含まれ、添付図面に示される全ての事柄は、説明として解されるべきであり、限定の意味に解されるべきではないとされる。
【００３６】
添付される特許請求の範囲は本明細書に説明された本発明の包括的及び特定の特徴の全て並びに、文言の問題として、それらの間に属し得る本発明の範囲の言明の全てを包含することが意図されていることも当然である。
【図面の簡単な説明】
【００３７】
【図１】共通クロックを共有している２つのサブシステムを示す
【図２】図１のサブシステムにより発生した複数の波形を示す
【図３】本発明にしたがうデバイダーの位相を制御するためのゲーテッドクロック手法を示す
【図４】本発明にしたがう、同期化されたコマンドを設定および出力するための方法を示すフローチャートである
【図５】２つの変換器の相対位相を測定するためのオシロスコープ上での遅延測定の使用を示す
【符号の説明】
【００３８】
１０２    クロック信号
１０４    イネーブル信号
１１０，１２０    サブシステム
１１２，１２２    デバイダー
１１４    遅延素子
１１６，１２６    信号発生器
２０１，２０２    信号
【図１】
2005512446.tif 000003
【図２】
2005512446.tif 000004
【図３】
2005512446.tif 000005
【図４】
2005512446.tif 000006
【図５】
2005512446.tif 000007
【国際調査報告】
2005512446.tif 000008
2005512446.tif 000009